(57)【要約】      （修正有）【課題】座れるベビーウォーカーとキックスクーターを両用するプラズマカーの引きロープ伸縮装置を提供する。【解決手段】この装置は、シェル体と、シェル体内に設けられる中空柱状構造の回転ガイドレール３と、回転ガイドレール内に装填されるリセット弾片４と、回転ガイドレールの外側に螺旋状に巻装され、一端を自由端２１とする引きロープ２と、固定ブロックとを備え、シェル体及び固定ブロックはネジにより締結されて固定、連接され、リセット弾片はシェル体に固定されて連接され、シェル体の引きロープの自由端に対応する位置に開口１１を有し、引きロープの自由端が開口から延ばし出される。【選択図】図２
0003196056.tif 000002
【実用新案登録請求の範囲】
【請求項１】
フロントシェル及びリアシェルからなるシェル体と、
前記シェル体内に設けられる中空柱状構造の回転ガイドレールと、
前記回転ガイドレールの内側に装填されるリセット弾片と、
前記回転ガイドレールの外側に螺旋状に巻装され、一端を自由端とする引きロープと、  固定ブロックと、
を備え、
前記フロントシェル、前記リアシェル及び前記固定ブロックはネジにより締結されて固定、連接され、
前記リセット弾片が前記シェル体に固定されて連接され、
前記シェル体の前記引きロープの自由端に対応する位置に開口を有し、前記引きロープの自由端が当該開口から延ばし出される、
ことを特徴とするプラズマカーの引きロープ伸縮装置。
【請求項２】
前記回転ガイドレールの両端にそれぞれ環状固定板が設けられる、ことを特徴とする請求項１に記載のプラズマカーの引きロープ伸縮装置。
【請求項３】
前記引きロープは前記回転ガイドレールの外側に緊密に巻装される、ことを特徴とする請求項１又は２に記載のプラズマカーの引きロープ伸縮装置。
【請求項４】
前記リセット弾片の外側壁が前記回転ガイドレールの内側壁に緊密に貼り付けられる、ことを特徴とする請求項１乃至３のいずれかに記載のプラズマカーの引きロープ伸縮装置。
【考案の詳細な説明】
【技術分野】
【０００１】
本考案は、プラズマカーの引きロープ伸縮装置に関するものである。
【背景技術】
【０００２】
プラズマカーは、不思議な動力、思いやる外見デザインにより、エコロジカル、娯楽、フィットネスをまとめ、子供たちにとても人気がある。現在のプラズマカーはシンプルな子供向けのおもちゃで、大体ハンドルを左右に回すだけで前後に移動するようになっている。
【考案の概要】
【考案が解決しようとする課題】
【０００３】
しかしながら、このプラズマカーは、ハンドルを左右に回して前後に移動するだけなので、他に機能がない。構造や機能が単一である。
そこで、上記の問題点に対して、本考案は、座れるベビーウォーカーとキックスクーターを両用するプラズマカーの引きロープ伸縮装置を提供すること、を目的とする。
【課題を解決するための手段】
【０００４】
本考案の技術は下記のように実現する。
前記問題点を解決し、上記目的を達成するために、本考案のプラズマカーの引きロープ伸縮装置は、シェル体と、固定ブロックとを備え、当該シェル体内に中空柱状構造の回転ガイドレールが設けられ、当該シェル体はフロントシェルと、リアシェルとを備え、当該フロントシェルに数個のネジ孔一が設けられ、当該リアシェル及び当該固定ブロックにある当該ネジ孔一の対応位置にそれぞれにネジ孔二及びネジ孔三が設けられ、当該フロントシェル、当該リアシェル及び当該固定ブロックが当該ネジ孔一、当該ネジ孔二、当該ネジ孔三及び付帯ネジで固定されて連接され、当該回転ガイドレールの内側にリセット弾片が套装され、当該リセット弾片が当該リアシェルと固定されて連接され、当該回転ガイドレールの外側に螺旋状に巻く引きロープが套装され、当該引きロープに自由端が設けられ、当該フロントシェル及び当該リアシェルにある当該引きロープの当該自由端の対応位置にすべて開け口が設けられ、当該引きロープの当該自由端が当該開け口から伸び出される。
【０００５】
前記回転ガイドレールの両端にすべて環状固定板が設けられることが好ましい。
【０００６】
前記引きロープが前記回転ガイドレールの外側に緊密に套装されることが好ましい。
【０００７】
前記リセット弾片の外側壁が前記回転ガイドレールの内側壁と緊密に貼り付けられることが好ましい。
【考案の効果】
【０００８】
本考案のプラズマカーの引きロープ伸縮装置によれば、動作が敏捷であり、構造が簡単であり、安全で快捷であり、動力装置の需要がなく、操作が簡単であり、子供に適する、という効果を奏する。
【図面の簡単な説明】
【０００９】
【図１】本考案のプラズマカーの引きロープ伸縮装置を示す一部破断斜視図
【図２】同引きロープ伸縮装置の分解斜視図
【図３】同引きロープ伸縮装置の使用例を示す図
【考案を実施するための形態】
【００１０】
以下、本考案の実施の形態について、図面を参照して詳細に説明する。
【００１１】
図１乃至図３に示すように、本考案のプラズマカーの引きロープ伸縮装置は、フロントシェル１及びリアシェル５からなるシェル体と、シェル体内に設けられる中空柱状構造の回転ガイドレール３と、回転ガイドレール３の内側に套装（装填）されるリセット弾片４と、回転ガイドレール３の外側に螺旋状に巻かれ套装（巻装）され、自由端２１が設けられる引きロープ２と、固定ブロックとを備える。
フロントシェル１に数個のネジ孔ａ１が設けられ、リアシェル５及び固定ブロックのフロントシェル１の各ネジ孔ａ１に対応する位置にそれぞれネジ孔ａ２及びネジ孔ａ３が設けられて、フロントシェル１、リアシェル５及び固定ブロックが各ネジ孔ａ１、ａ２、ａ３に付帯ネジ６が締結されて固定、連接される。
リセット弾片４はリアシェル５に固定されて連接される。
フロントシェル１及びリアシェル５の引きロープ２の自由端２１に対応する位置には開口１１が設けられ、引きロープ２の自由端２１が開口１１から延ばし出される。
【００１２】
この場合、回転ガイドレール３の両端にそれぞれ環状固定板３１が設けられる。
引きロープ２は回転ガイドレール３の外側に緊密に套装（巻装）される。
リセット弾片４の外側壁が回転ガイドレール３の内側壁に緊密に貼り付けられる。
【００１３】
この引きローブ伸縮装置は、次のように使用される。まず、引きロープ２を引くと、回転ガイドレール３が回り始め、これによりリセット弾片４の巻き数が増加し、弾性エネルギーが溜められる。そして、この引きロープ２を離すと、リセット弾片４に溜められた弾性エネルギーが運動エネルギーに転換されて回転ガイドレール３が反対方向に回り、引きロープ２の自動収縮機能が実現される。
【００１４】
以上説明したように、この引きローブ伸縮装置によれば、構造が簡単で、動作が敏捷であり、かつ安全で快捷であり、また、操作が簡単で、動力装置の必要がなく、子供の使用に最適である。
【００１５】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００１６】
１  フロントシェル
１１  開口
２  引きロープ
２１  自由端
３  回転ガイドレール
３１  環状固定板
４  リセット弾片
５  リアシェル
６  ネジ
【図１】
0003196056.tif 000003
【図２】
0003196056.tif 000004
【図３】
0003196056.tif 000005